(57)【要約】  作業者の負担を軽減すると共にかんばんの誤発行を防止する。  生産管理システムは、部品毎にＲＦＩＤかんばんの発行予定数が記憶されるかんばん発行予定レコード記憶部（７ａ）と、部品毎にＲＦＩＤタグ付きかんばんの発行済み数が記憶されるかんばん発行レコード記憶部（６ａ）と、管理装置（１）とを含む。管理装置（１）は、プリンタ（２）に対してＲＦＩＤかんばんの発行を指示する指示手段と、ＲＦＩＤかんばんの発行が指示されたときに、対応部品についてのＲＦＩＤかんばんの発行済み数を積算する積算手段と、積算された対応部品についてのＲＦＩＤかんばんの発行済み数と対応部品についてのＲＦＩＤかんばんの発行予定数とを比較する比較手段とを含み、その比較の結果、発行済み数が発行予定数未満とならない場合、指示手段はプリンタ（２）に対して対応部品についての次のＲＦＩＤかんばんの発行を指示しない。
2011121651.tif 000002
【特許請求の範囲】
【請求項１】
ＲＦＩＤタグ付きかんばんを用いたかんばん方式により生産管理を行う生産管理システムであって、
ＲＦＩＤタグ付きかんばんを発行する発行手段に対してＲＦＩＤタグ付きかんばんの発行を指示する指示手段と、
部品毎のＲＦＩＤタグ付きかんばんの発行予定数が記憶される第１の記憶手段と、
前記第１の記憶手段に記憶されている発行予定数に基づき発行された、前記部品毎のＲＦＩＤタグ付きかんばんの発行済み数が記憶される第２の記憶手段と、
前記指示手段によりＲＦＩＤタグ付きかんばんの発行が指示されたときに、前記第２の記憶手段に記憶されている、対応部品についてのＲＦＩＤタグ付きかんばんの発行済み数を積算する積算手段と、
前記積算手段により積算された、前記第２の記憶手段に記憶されている、対応部品についてのＲＦＩＤタグ付きかんばんの発行済み数と、前記第１の記憶手段に記憶されている、対応部品についてのＲＦＩＤタグ付きかんばんの発行予定数とを比較する比較手段と、
を備え、
前記比較手段による比較の結果、前記発行済み数が前記発行予定数未満とならない場合、前記指示手段は、前記発行手段に対して、対応部品についての次のＲＦＩＤタグ付きかんばんの発行を指示しない、
ことを特徴とする生産管理システム。
【請求項２】
前記比較手段による比較の結果、前記発行済み数が前記発行予定数未満となる場合、前記指示手段は、前記発行手段に対して、対応部品についての次のＲＦＩＤタグ付きかんばんの発行を指示する、
ことを特徴とする請求項１記載の生産管理システム。
【請求項３】
ＲＦＩＤタグ付きかんばんを用いたかんばん方式により生産管理を行う生産管理システムのかんばん発行方法であって、
ＲＦＩＤタグ付きかんばんを発行する発行手段に対してＲＦＩＤタグ付きかんばんの発行を指示し、
部品毎にＲＦＩＤタグ付きかんばんの発行済み数が記憶される第２の記憶手段に記憶されている、対応部品についてのＲＦＩＤタグ付きかんばんの発行済み数を積算し、
前記積算により積算された、前記第２の記憶手段に記憶されている、対応部品についてのＲＦＩＤタグ付きかんばんの発行済み数と、前記部品毎にＲＦＩＤタグ付きかんばんの発行予定数が記憶される第１の記憶手段に記憶されている、対応部品についてのＲＦＩＤタグ付きかんばんの発行予定数とを比較し、
当該比較の結果、前記発行済み数が前記発行予定数未満とならない場合、前記発行手段に対して、対応部品についての次のＲＦＩＤタグ付きかんばんの発行を指示しない、
ことを特徴とするかんばん発行方法。
【請求項４】
前記比較の結果、前記発行済み数が前記発行予定数未満となる場合、前記発行手段に対して、対応部品についての次のＲＦＩＤタグ付きかんばんの発行を指示する、
ことを特徴とする請求項３記載のかんばん発行方法。
【請求項５】
ＲＦＩＤタグ付きかんばんを用いたかんばん方式により生産管理を行う生産管理システムのコンピュータに以下の方法を実行させるためのプログラムであって、
ＲＦＩＤタグ付きかんばんを発行する発行手段に対してＲＦＩＤタグ付きかんばんの発行を指示し、
部品毎にＲＦＩＤタグ付きかんばんの発行済み数が記憶される第２の記憶手段に記憶されている、対応部品についてのＲＦＩＤタグ付きかんばんの発行済み数を積算し、
前記積算により積算された、前記第２の記憶手段に記憶されている、対応部品についてのＲＦＩＤタグ付きかんばんの発行済み数と、前記部品毎にＲＦＩＤタグ付きかんばんの発行予定数が記憶される第１の記憶手段に記憶されている、対応部品についてのＲＦＩＤタグ付きかんばんの発行予定数とを比較し、
当該比較の結果、前記発行済み数が前記発行予定数未満とならない場合、前記発行手段に対して、対応部品についての次のＲＦＩＤタグ付きかんばんの発行を指示しない、
ことを特徴とするプログラム。
【請求項６】
前記比較の結果、前記発行済み数が前記発行予定数未満となる場合、前記発行手段に対して、対応部品についての次のＲＦＩＤタグ付きかんばんの発行を指示する、
ことを特徴とする請求項５記載のプログラム。
【請求項７】
ＲＦＩＤタグ付きかんばんを用いたかんばん方式により生産管理を行う生産管理システムのコンピュータに以下の方法を実行させるためのプログラムを記録したコンピュータ読み取り可能な記録媒体であって、
ＲＦＩＤタグ付きかんばんを発行する発行手段に対してＲＦＩＤタグ付きかんばんの発行を指示し、
部品毎にＲＦＩＤタグ付きかんばんの発行済み数が記憶される第２の記憶手段に記憶されている、対応部品についてのＲＦＩＤタグ付きかんばんの発行済み数を積算し、
前記積算により積算された、前記第２の記憶手段に記憶されている、対応部品についてのＲＦＩＤタグ付きかんばんの発行済み数と、前記部品毎にＲＦＩＤタグ付きかんばんの発行予定数が記憶される第１の記憶手段に記憶されている、対応部品についてのＲＦＩＤタグ付きかんばんの発行予定数とを比較し、
当該比較の結果、前記発行済み数が前記発行予定数未満とならない場合、前記発行手段に対して、対応部品についての次のＲＦＩＤタグ付きかんばんの発行を指示しない、
ことを特徴とする記録媒体。
【請求項８】
前記比較の結果、前記発行済み数が前記発行予定数未満となる場合、前記発行手段に対して、対応部品についての次のＲＦＩＤタグ付きかんばんの発行を指示する、
ことを特徴とする請求項７記載の記録媒体。
【発明の詳細な説明】
【技術分野】
【０００１】
本発明は、生産管理方式としてかんばん方式を採用した生産管理システムにおいて、かんばんとしてＲＦＩＤ（Radio Frequency IDentification）タグ付きかんばんを用いるようにした技術に関する。
【背景技術】
【０００２】
生産管理方式の一方式としてかんばん方式がある。
かんばん方式は、部品名、数量、納入日時等を記載した、かんばんと称する作業指図票を用いて、必要なモノを必要な時に必要な量だけ生産することで、在庫の徹底的削減をめざすようにした生産管理方式である。【０００３】
近年では、このようなかんばん方式を採用した生産管理システムにおいて、部品の納入指示と入荷・検収、それに製造ライン供給までの部品の動きをリアルタイムに把握するという観点から、部品納入指示のかんばんとしてＲＦＩＤタグ付きかんばんを用いた生産管理システムが開発され、運用されている。【０００４】
このシステムの運用では、納入される部品が梱包された段ボール等の荷姿にＲＦＩＤタグ付きかんばんが貼付され、工場等への部品納入時に、それらがＲＦＩＤタグリーダ・ライタとアンテナを設置したゲートを通過して、入荷・検収情報の自動読み取りが行われる。入荷・検収された部品は、荷姿のまま各製造ラインへ搬送され、そこで使用される。部品が製造ラインで使用されると、ＲＦＩＤタグ付きかんばんが取り外されて作業者によって回収箱へ投入される。回収箱には、ＲＦＩＤタグリーダ・ライタとアンテナが設置されており、投入情報の自動読み取りが行われる。そして、この時の投入情報がトリガーとなって、次の部品納入指示のＲＦＩＤタグ付きかんばんの発行が行われる。【０００５】
ところで、かんばん方式を採用した生産管理システムの運用では、例えば生産量の変更等による所要の変動によって、工場内で流通するかんばんの数や、工場とサプライヤーとの間で流通するかんばんの数が、多くなったり少なくなったりすることがある。【０００６】
例えば、ある年の９月において、部品Ａの所要が１００個である場合には、まず、部品Ａのかんばんが１００枚、新規に発行される。その次の月の１０月においても、部品Ａの所要が１００個で変更が無い場合には、部品Ａのかんばんが既に１００枚発行されていることから、かんばんの新規発行枚数は０となる。更にその次の月の１１月において、部品Ａの所要が１００個から５０個に変更された場合には、部品Ａのかんばんが既に１００枚発行されていることから、そのうちの５０枚のかんばんは不要かんばんとして抜き取られ使用されなくなる。【０００７】
このような場合において、上述のＲＦＩＤタグ付きかんばんを用いた生産管理システムでは、不要かんばんの抜き取りが、回収箱へのＲＦＩＤタグ付きかんばんの投入を制限することによって行われている。より具体的には、作業者が、所定期間毎の（例えば、その日の）かんばん発行予定枚数等が記載された部品納入計画表を確認しながら、不要かんばんとするＲＦＩＤタグ付きかんばんを回収箱へ投入しないようにすることによって行われている。従って、流通するかんばんの数が変動する場合には作業者の負担が大きくなり、場合によっては、不要かんばんとすべきＲＦＩＤタグ付きかんばんが回収箱に誤投入され、かんばんの誤発行が生じる虞があった。【０００８】
なお、かんばん方式を採用した生産管理システムに関し、例えば特許文献１には、部品使用量が長期に亘って停止しても、新たに発行する部品発注カード（かんばん）を制限し、生産活動再開後に必要な部品を確保しながらも、部品在庫が過剰とならないように発注するようにした装置が提案されている。【０００９】
また、かんばんとしてＲＦＩＤタグ付きかんばんを用いるかんばん方式を採用した生産管理システムに関し、例えば特許文献２には、生産工程の環境が、ＲＦＩＤタグを破損させるような環境であっても、ＲＦＩＤタグを利用して生産履歴を管理できるようにしたシステムが提案されている。
【先行技術文献】
【特許文献】
【００１０】
【特許文献１】特開２００５−２７６１２４号公報
【特許文献２】特開２００６−２２７９７２号公報
【発明の概要】
【発明が解決しようとする課題】
【００１１】
本発明は、上記実情に鑑み、作業者の負担を軽減すると共にかんばんの誤発行を防止する生産管理システム、かんばん発行方法、プログラム、及び記録媒体を提供することを目的とする。
【課題を解決するための手段】
【００１２】
本発明の第１の態様に係る装置は、ＲＦＩＤタグ付きかんばんを用いたかんばん方式により生産管理を行う生産管理システムであって、ＲＦＩＤタグ付きかんばんを発行する発行手段に対してＲＦＩＤタグ付きかんばんの発行を指示する指示手段と、部品毎のＲＦＩＤタグ付きかんばんの発行予定数が記憶される第１の記憶手段と、前記第１の記憶手段に記憶されている発行予定数に基づき発行された、前記部品毎のＲＦＩＤタグ付きかんばんの発行済み数が記憶される第２の記憶手段と、前記指示手段によりＲＦＩＤタグ付きかんばんの発行が指示されたときに、前記第２の記憶手段に記憶されている、対応部品についてのＲＦＩＤタグ付きかんばんの発行済み数を積算する積算手段と、前記積算手段により積算された、前記第２の記憶手段に記憶されている、対応部品についてのＲＦＩＤタグ付きかんばんの発行済み数と、前記第１の記憶手段に記憶されている、対応部品についてのＲＦＩＤタグ付きかんばんの発行予定数とを比較する比較手段と、を備え、前記比較手段による比較の結果、前記発行済み数が前記発行予定数未満とならない場合、前記指示手段は、前記発行手段に対して、対応部品についての次のＲＦＩＤタグ付きかんばんの発行を指示しない、ことを特徴とする。【００１３】
本発明の第２の態様に係る装置は、上記第１の態様において、前記比較手段による比較の結果、前記発行済み数が前記発行予定数未満となる場合、前記指示手段は、前記発行手段に対して、対応部品についての次のＲＦＩＤタグ付きかんばんの発行を指示する、ことを特徴とする。【００１４】
また、本発明は、上記装置の他、方法、プログラム、及び記録媒体として構成することも可能である。
【発明の効果】
【００１５】
本発明によれば、作業者の負担を軽減することができると共にかんばんの誤発行を防止することができる。
【図面の簡単な説明】
【００１６】
【図１】本発明の一実施例に係る生産管理システムで使用されるＲＦＩＤかんばんの運用例の概要を示す図である。
【図２】本発明の一実施例に係る生産管理システムの全体構成例を示す図である。
【図３】プリンタの主要なシステム構成の一例を示す図である。
【図４】入荷ゲートの主要なシステム構成の一例を示す図であると共に、回収箱の主要なシステム構成の一例を示す図でもある。
【図５】管理装置の主要なシステム構成の一例を示す図であると共に、端末装置の主要なシステム構成の一例を示す図でもある。
【図６】ＲＦＩＤかんばんＤＢの構成例を示す図である。
【図７】かんばん発行レコードの構成例を示す図である。
【図８】かんばん情報レコードの構成例を示す図である。
【図９】生産管理ＤＢの構成例を示す図である。
【図１０】かんばん発行予定レコードの構成例を示す図である。
【図１１】管理装置の動作を示す第１のフローチャートである。
【図１２】管理装置の動作を示す第２のフローチャートである。
【図１３】図１１及び図１２に示した動作中における、かんばん情報レコードの「ステータス」とＲＦＩＤタグ付きかんばんの流通状態との関係を示す図である。
【発明を実施するための形態】
【００１７】
本発明の一実施例に係る生産管理システムは、かんばん方式により生産管理を行うシステムであって、かんばんとしてＲＦＩＤタグ付きかんばん（以下単に「ＲＦＩＤかんばん」という）を使用するシステムである。ここでは、ＲＦＩＤかんばんとして、ＵＨＦ帯ＲＦＩＤタグ付きリライタブルシートを使用するものとする。
【００１８】
図１は、本実施例に係る生産管理システムで使用されるＲＦＩＤかんばんの運用例の概要を示す図である。但し、同図に示した運用例は、工場と遠方サプライヤーとの間でＲＦＩＤかんばんが流通する場合の例を示したものである。
【００１９】
同図に示したように、この運用例では、管理装置１がサプライヤーのＲＦＩＤリライタブルシートプリンタ（以下単に「プリンタ」という）２に対してＲＦＩＤかんばんの発行依頼を行うと、サプライヤーのプリンタ２は、その発行依頼に基づいてＲＦＩＤかんばんを発行する（Ｓ１）と共に、かんばん発行情報を管理装置１へ送信する。なお、このかんばん発行情報を受信したときに管理装置１が行う処理内容の詳細については後述する。
【００２０】
プリンタ２は、ＲＦＩＤタグに対して情報の読み出し及び書き込み（書き換え）を行うことが可能なようにＲＦＩＤタグリーダ・ライタとアンテナを備えると共に、リライタブルシートに情報を印刷（書き換え印刷）することが可能なようにリライタブルシート用印刷ユニットを備えている。従って、プリンタ２によるＲＦＩＤかんばんの発行は、ＲＦＩＤかんばんのＲＦＩＤタグに情報を書き込むと共に、そのＲＦＩＤかんばんのリライタブルシートに情報を印刷することによって行われる。
【００２１】
ＲＦＩＤかんばんが発行されると、サプライヤーは、そのＲＦＩＤかんばんの情報（ＲＦＩＤタグに記憶された情報及びリライタブルシートに印刷された情報）に基づいて部品を製造する（Ｓ２）。そして、製造された部品を検品し、検品を終えた部品を梱包する梱包箱（例えば段ボール）等の荷姿にＲＦＩＤかんばんを貼付して出荷する（Ｓ３）。
【００２２】
出荷された部品は、例えばトラック等によって工場へ運搬される。
工場に部品が運搬されると、工場内の作業者は、運搬された部品を入荷場へ搬送する（Ｓ４）。入荷場の入口には、ＲＦＩＤタグに対して情報の読み出し及び書き込みを行うことが可能なようにＲＦＩＤタグリーダ・ライタとアンテナが備えられた入荷ゲート３が設けられており、この入荷ゲート３を部品が通過すると、貼付されているＲＦＩＤかんばんのＲＦＩＤタグから情報が読み出され、それが入荷情報として管理装置１へ送信される。なお、この入荷情報を受信したときに管理装置１が行う処理内容の詳細については後述する。
【００２３】
入荷場に搬送された部品は、その後、生産ライン（製造ラインや組立ライン）へ搬送されて使用される（Ｓ５）。また、このとき、生産ラインの作業者は、使用された部品の梱包箱からＲＦＩＤかんばんを取り外して回収箱４に投入する（Ｓ６）。回収箱４には、ＲＦＩＤタグに対して情報の読み出し及び書き込みを行うことが可能なようにＲＦＩＤタグリーダ・ライタとアンテナが備えられており、この回収箱４にＲＦＩＤかんばんが投入されると、そのＲＦＩＤかんばんのＲＦＩＤタグから情報が読み出され、それが投入情報として管理装置１へ送信される。
【００２４】
なお、回収箱４に投入されたＲＦＩＤかんばんは、後に、サプライヤーへ運搬され、プリンタ２によるＲＦＩＤかんばんの発行の際に再利用される。また、生産された製品は、後に、販売先等へ出荷される。
【００２５】
管理装置１は、回収箱４からの投入情報を受信すると、詳しくは後述するように、特定の処理を行い、その処理結果に応じて次のＲＦＩＤかんばんの発行依頼を行うか、或いは、行わないようにする。ここで、次のＲＦＩＤかんばんの発行依頼が行われた場合には、上述のようにして次のＲＦＩＤかんばんの発行が行われ、そして、発行されたＲＦＩＤかんばんが上述のようにして流通するようになる。
【００２６】
このように、本実施例に係る生産管理システムでは、次のＲＦＩＤかんばんの発行依頼を行うか、或いは、行わないか、ということを管理装置１が自動的に行うため、作業者が部品納入計画表を確認しながら不要かんばんとするＲＦＩＤかんばんを回収箱４に投入しないようにする、といった従来の作業は不要になっている。
【００２７】
次に、本実施例に係る生産管理システムの構成及び動作について詳細に説明する。
図２は、本実施例に係る生産管理システムの全体構成例を示す図である。
同図に示したように、本実施例に係る生産管理システムは、管理装置１、プリンタ２、入荷ゲート３、回収箱４、端末装置５、ＲＦＩＤかんばんＤＢ（DataBase）６、及び、生産管理ＤＢ（DataBase）７を含み、各々の間で情報の送受が可能なように、各々が通信ネットワーク８に接続されている。
【００２８】
なお、ここでは説明の便宜のために、管理装置１、プリンタ２、入荷ゲート３、回収箱４、端末装置５、ＲＦＩＤかんばんＤＢ６、及び、生産管理ＤＢ７の何れもが、工場内に設けられるものとするが、少なくとも入荷ゲート３及び回収箱４以外のものについては、工場外に設けられるように構成することも可能である。例えば、プリンタ２については、上述の図１に示したように、サプライヤーに設けられるようにすることも可能である。
【００２９】
また、ここでは、プリンタ２、入荷ゲート３、回収箱４、及び端末装置５の各々が一つずつ設けられる構成とするが、これらが一つ以上ずつ設けられるように構成することも可能である。この場合、例えば、プリンタ２が一つ以上のサプライヤー又は工場内に設けられるように構成することも可能である。このとき、プリンタ２が設けられているサプライヤーに対しては、上述の図１に示したように、サプライヤーのプリンタ２を使用してＲＦＩＤかんばんの発行を行うようにするのに対し、プリンタ２が設けられていないサプライヤーに対しては、工場内のプリンタ２を使用してＲＦＩＤかんばんを発行し、発行されたＲＦＩＤかんばんをサプライヤーへ運搬する、というようにすることも可能である。また、入荷ゲート３についても、複数の入荷場が工場内にある場合には、それぞれの入口に入荷ゲート３が設けられる。また、回収箱４についても、部品を使用する複数の生産ラインが工場内に有る場合には、それぞれの生産ラインに回収箱４が設けられる。
【００３０】
また、ここでは、ＲＦＩＤかんばんＤＢ６と生産管理ＤＢ７が通信ネットワーク８に接続される構成とするが、例えば、これらの何れか又は両方が通信ネットワーク８を介さずに管理装置１に直接接続されるように構成することも可能である。
【００３１】
図２に示した生産管理システムにおいて、通信ネットワーク８は、無線通信ネットワーク又は有線通信ネットワークとすることも可能であるし、無線通信ネットワーク及び有線通信ネットワークを含む通信ネットワークとすることも可能である。また、通信ネットワーク８は、例えば、ＬＡＮ（Local Area Network）とすることも可能であるし、ＬＡＮとインターネットとを含む通信ネットワークとすることも可能である。この場合、サプライヤーに設けられたプリンタ２と工場内の管理装置１との間でデータの送受を行うときには、インターネットと工場内のＬＡＮとを介して、それを行うことができる。
【００３２】
管理装置１、プリンタ２、入荷ゲート３、回収箱４、端末装置５、ＲＦＩＤかんばんＤＢ６、及び、生産管理ＤＢ７については、図３乃至図１０を用いて個別に説明する。但し、入荷ゲート３と回収箱４は主要なシステム構成が類似することから、これらについては同一図面を用いて説明することにする。また、管理装置１と端末装置５も主要なシステム構成が類似することから、これらについても同一図面を用いて説明することにする。
【００３３】
図３は、プリンタ２の主要なシステム構成の一例を示す図である。
プリンタ２は、管理装置１からのＲＦＩＤかんばんの発行依頼に応じて、ＲＦＩＤかんばんを発行する発行手段の一例であって、同図に示したように、通信部２ａ、ＲＦＩＤリーダ・ライタ２ｂ、アンテナ２ｃ、リライタブルシート用印刷ユニット２ｄ、及び、制御部２ｅを含む。
【００３４】
通信部２ａは、通信ネットワーク８を介して外部との間で情報の送受を行う手段であって、管理装置１から送信されるＲＦＩＤかんばんの発行依頼の指示コマンドを受信することや、ＲＦＩＤかんばんが発行された時に、かんばん発行情報を管理装置１へ送信すること等を行う。なお、かんばん発行情報には、指示コマンドに応じてＲＦＩＤかんばんを発行した旨の情報、発行されたＲＦＩＤかんばんのＲＦＩＤタグに書き込まれた情報、ＲＦＩＤかんばんを発行した日付の情報が含まれる。ＲＦＩＤタグリーダ・ライタ２ｂとアンテナ２ｃは、ＲＦＩＤタグに対して情報の読み出し及び書き込み（書き換え）を行う手段であって、ＲＦＩＤかんばんの発行依頼の指示コマンドが通信部２ａにより受信された時に、ＲＦＩＤかんばんのＲＦＩＤタグに対して、その指示コマンドの内容に基づく情報の書き込みを行う。本実施例では、その情報として、ＥＰＣ（Electronic Product Code）が書き込まれる。リライタブルシート用印刷ユニット２ｄは、リライタブルシートに対して情報の印刷（書き換え印刷）を行う手段であって、ＲＦＩＤかんばんの発行依頼の指示コマンドが通信部２ａにより受信された時に、ＲＦＩＤかんばんのリライタブルシートに対して、その指示コマンドの内容に基づく情報を印刷（書き換え印刷）する。制御部２ｅは、これらの動作を含む、プリンタ２の全体動作を制御する。
【００３５】
図４は、入荷ゲート３の主要なシステム構成の一例を示す図であると共に、回収箱４の主要なシステム構成の一例を示す図でもある。
同図に示したように、入荷ゲート３と回収箱４はいずれも、通信部３ａ（４ａ）、ＲＦＩＤタグリーダ・ライタ３ｂ（４ｂ）、アンテナ３ｃ（４ｃ）、及び、制御部３ｄ（４ｄ）を、主要なシステム構成として含む。
【００３６】
ＲＦＩＤタグリーダ・ライタ３ｂ（４ｂ）とアンテナ３ｃ（４ｃ）は、ＲＦＩＤタグに対して情報の読み出し及び書き込み（書き換え）を行う手段である。通信部３ａ（４ａ）は、通信ネットワーク８を介して外部との間で情報の送受を行う手段である。制御部３ｄ（４ｄ）は、これらの動作を含む、当該ユニットの全体動作を制御するものである。
【００３７】
このような構成を有する入荷ゲート３において、ＲＦＩＤタグリーダ・ライタ３ｂとアンテナ３ｃは、入荷ゲート３を通過する部品に対して貼付されているＲＦＩＤかんばんのＲＦＩＤタグから情報（ＥＰＣ）を読み出す。通信部３ａは、ＲＦＩＤタグリーダ・ライタ３ｂとアンテナ３ｃによりＲＦＩＤタグから情報が読み出された時に、その情報を入荷情報として管理装置１へ送信する。なお、この入荷情報には、ＲＦＩＤタグから読み出された情報（ＥＰＣ）の他、ＲＦＩＤタグからＥＰＣが読み出された日付の情報が含まれる。制御部３ｄは、これらの動作を含む、入荷ゲート３の全体動作を制御する。
【００３８】
また、回収箱４において、ＲＦＩＤタグリーダ・ライタ４ｂとアンテナ４ｃは、回収箱４に投入されたＲＦＩＤかんばんのＲＦＩＤタグから情報（ＥＰＣ）を読み出す。通信部４ａは、ＲＦＩＤタグリーダ・ライタ４ｂとアンテナ４ｃによりＲＦＩＤタグから情報が読み出された時に、その情報を投入情報として管理装置１へ送信する。なお、この投入情報には、ＲＦＩＤタグから読み出された情報（ＥＰＣ）の他、ＲＦＩＤタグからＥＰＣが読み出された日付の情報が含まれる。制御部４ｄは、これらの動作を含む、回収箱４の全体動作を制御する。
【００３９】
図５は、管理装置１の主要なシステム構成の一例を示す図であると共に、端末装置５の主要なシステム構成の一例を示す図でもある。
同図に示したように、管理装置１と端末装置５はいずれも、ＣＰＵ（中央処理装置）１ａ（５ａ）、メモリ１ｂ（５ｂ）、入力部１ｃ（５ｃ）、出力部１ｄ（５ｄ）、外部記憶部１ｅ（５ｅ）、媒体駆動部１ｆ（５ｆ）、及び、通信部１ｇ（５ｇ）を主要なシステム構成として備え、それらがバス１ｈ（５ｈ）により互いに接続されている、例えばＰＣ（Personal Computer）等の、情報処理装置である。
【００４０】
メモリ１ｂ（５ｂ）は、例えばＲＯＭ（read only memory）、ＲＡＭ（random access memory）等を含み、処理に用いられるプログラムおよびデータを格納する。ＣＰＵ１ａ（５ａ）は、メモリ１ｂ（５ｂ）を利用してプログラムを実行することにより、必要な処理を行う。入力部１ｃ（５ｃ）は、例えば、キーボード、ポインティングデバイス、タッチパネル等であり、作業者からの指示や情報の入力に用いられる。出力部１ｄ（５ｄ）は、例えばディスプレイ、プリンタ等であり、作業者への問い合わせや処理結果等の出力に用いられる。外部記憶部１ｅ（５ｅ）は、例えば、磁気ディスク装置、光ディスク装置、光磁気ディスク装置、テープ装置等である。管理装置１と端末装置５はいずれも、この外部記憶部１ｅ（５ｅ）に、上記プログラムおよびデータを格納しておき、必要に応じて、それらをメモリ１ｂ（５ｂ）にロードして使用することができる。媒体駆動部１ｆ（５ｆ）は、可搬記録媒体１ｉ（５ｉ）を駆動し、その記録内容にアクセスする。可搬記録媒体１ｉ（５ｉ）は、メモリカード、フレキシブルディスク、ＣＤ−ＲＯＭ（compact disk read only memory ）、光ディスク、光磁気ディスク等の任意のコンピュータ読み取り可能な記録媒体である。この可搬記録媒体１ｉ（５ｉ）に上記プログラムおよびデータを格納しておき、必要に応じて、それらをメモリ１ｂ（５ｂ）にロードして使用することができる。通信部１ｇ（５ｇ）は、通信ネットワーク８を介して外部との間で情報の送受を行う手段である。管理装置１と端末装置５はいずれも、必要に応じて、上記プログラムおよびデータを外部の装置（例えば外部サーバのデータベース等）から通信部１ｇ（５ｇ）を介して受け取り、それらをメモリ１ｂ（５ｂ）にロードして使用することができる。
【００４１】
このような構成を有する管理装置１は、詳しくは後述するように、入力部１ｃを介して受け付けた作業者からの入力や、通信部１ｇを介して受信した情報に基づいて、各種の処理を行う。
【００４２】
また、このような構成を有する端末装置５は、入力部１ｃを介して受け付けた作業者からの入力に基づいて、各種の処理を行う。
なお、管理装置１は、ＣＰＵ１ａがメモリ１ｂに格納されたプログラムを読み出し実行することにより、次のような手段を実現することができる。例えば、プリンタ２に対してＲＦＩＤタグ付きかんばんの発行を指示する指示手段を実現することができる。また、その指定手段によりＲＦＩＤタグ付きかんばんの発行が指示されたときに、ＲＦＩＤかんばんＤＢ６の後述のかんばん発行レコード記憶部６ａに記憶されている、対応部品についてのＲＦＩＤタグ付きかんばんの発行済み数を積算する積算手段を実現することができる。また、その積算手段により積算された、かんばん発行レコード記憶部６ａに記憶されている、対応部品についてのＲＦＩＤかんばんの発行済み数と、生産管理ＤＢ７の後述のかんばん発行予定レコード記憶部７ａに記憶されている、対応部品についてのＲＦＩＤかんばんの発行予定数とを比較する比較手段を実現することができる。
【００４３】
図６は、ＲＦＩＤかんばんＤＢ６の構成例を示す図である。
同図に示したように、ＲＦＩＤかんばんＤＢ６は、かんばん発行レコード記憶部６ａとかんばん情報レコード記憶部６ｂ等を含む。かんばん発行レコード記憶部６ａには、部品毎に、かんばん発行レコードが記憶される。また、かんばん情報レコード記憶部６ｂには、発行依頼されたＲＦＩＤかんばん毎に、かんばん情報レコードが記憶される。かんばん発行レコード及びかんばん情報レコードは、管理装置１により生成されるものであり、必要に応じて管理装置１により更新されるものである。
【００４４】
なお、かんばん発行レコード記憶部６ａは、部品毎にＲＦＩＤかんばんの発行済み数が記憶される第２の記憶手段の一例である。
【００４５】
図７は、かんばん発行レコードの構成例を示す図である。
同図に示したように、かんばん発行レコードは、「仕様図番」、「日付」、「品名」、「発行済み枚数」等の情報を含む。ここで、「仕様図番」は、当該かんばん発行レコードに対応付けされる部品（以下「対応部品」という）の仕様図番を示す。「日付」は、対応部品についてのＲＦＩＤかんばんを発行する日付を示す。「品名」は、対応部品の品名を示す。「発行済み枚数」は、「日付」が示す日付において、発行が指示された、対応部品についてのＲＦＩＤかんばんの数を示す。なお、この「発行済み枚数」は、対応部品についてのＲＦＩＤかんばんの発行が管理装置１により指示される毎に、管理装置１により更新されるものである。
【００４６】
図８は、かんばん情報レコードの構成例を示す図である。
同図に示したように、かんばん情報レコードは、「かんばんＩＤ」、「ＲＦＩＤ＿ＥＰＣコード」、「仕様図番」、「品名」、「収容数」、「納入先」、「納入予定日」「ステータス」等の情報を含む。ここで、「かんばんＩＤ」は、当該かんばん情報レコードに対応付けされる、発行依頼されたＲＦＩＤかんばん（以下「対応ＲＦＩＤかんばん」という）に固有の識別子を示す。「ＲＦＩＤ＿ＥＰＣコード」は、対応ＲＦＩＤかんばんのＥＰＣを示す。「仕様図番」は、対応ＲＦＩＤかんばんの部品の仕様図番を示す。「品名」は、対応ＲＦＩＤかんばんの部品の品名を示す。「収容数」は、対応ＲＦＩＤかんばんの部品の収容数を示す。「納入先」は、対応ＲＦＩＤかんばんの部品の納入先を示す。「納入予定日」は、対応ＲＦＩＤかんばんの部品の納入予定日を示す。「ステータス」は、対応ＲＦＩＤかんばんのステータスを示す。
【００４７】
なお、この「ステータス」は、当該かんばん情報レコードが生成されたときに「１」に設定され、その後は、対応ＲＦＩＤかんばんの流通状態に応じて、順次、管理装置１により更新されるものである。詳しくは後述するように、対応ＲＦＩＤかんばんがプリンタ２により発行されたときには「２」に更新され、対応ＲＦＩＤかんばんが入荷ゲート３を通過したときには「３」に更新され、対応ＲＦＩＤかんばんが回収箱４に投入されたときには「４」に更新され、当該かんばん情報レコードに対応するものとしてのＲＦＩＤかんばんの流通を打ち切るときには「５」に更新される。
【００４８】
図９は、生産管理ＤＢ７の構成例を示す図である。
同図に示したように、生産管理ＤＢ７は、かんばん発行予定レコード記憶部７ａと製品レコード記憶部７ｂ等を含む。かんばん発行予定レコード記憶部７ａには、部品毎に、かんばん発行予定レコードが記憶される。製品レコード記憶部７ｂには、製品毎に、製品レコードが記憶される。かんばん発行予定レコード及び製品レコードは、管理装置１により生成されるものであり、必要に応じて管理装置１による更新も可能である。
【００４９】
なお、かんばん発行予定レコード記憶部７ａは、部品毎にＲＦＩＤかんばんの発行予定数が記憶される第１の記憶手段の一例である。
【００５０】
図１０は、かんばん発行予定レコードの構成例を示す図である。
同図に示したように、かんばん発行予定レコードは、「仕様図番」、「日付」、「品名」、「発行予定枚数」等の情報を含む。ここで、「仕様図番」は、当該かんばん発行予定レコードに対応付けされる部品（以下「対応部品」という）の仕様図番を示す。「日付」は、対応部品についてのＲＦＩＤかんばんを発行する日付を示す。「品名」は、対応部品の品名を示す。「発行予定枚数」は、「日付」が示す日付において、対応部品についてのＲＦＩＤかんばんを発行する予定の数を示す。
【００５１】
続いて、本実施例に係る生産管理システムの動作を、管理装置１の動作を中心に、詳細に説明する。
図１１及び図１２は、管理装置１の動作を示すフローチャートである。
【００５２】
なお、この動作は、管理装置１のＣＰＵ１ａがメモリ１ｂに格納されたプログラムを読み出し実行することによって行われるものである。
図１１に示したように、まず、Ｓ１１では、必要なかんばん発行レコードの登録を行う。具体的には、入力部１ｃを介して作業者により入力された、必要なかんばん発行レコードに係る情報に基づいて、図７に示したようなかんばん発行レコードを生成し、これをＲＦＩＤかんばん発行ＤＢ６のかんばん発行レコード記憶部６ａに記憶する。なお、このときに生成、記憶されたかんばん発行レコードの「発行済み枚数」は、「０」に設定される。
【００５３】
Ｓ１２では、必要なかんばん発行予定レコードの登録を行う。具体的には、Ｓ１１と同様に、入力部１ｃを介して作業者により入力された、必要なかんばん発行予定レコードに係る情報に基づいて、図１０に示したようなかんばん発行予定レコードを生成し、これを生産管理ＤＢ７のかんばん発行予定レコード記憶部７ａに記憶する。
【００５４】
なお、Ｓ１１及びＳ１２のレコードの登録は、端末装置５の入力部５ｃを介して入力された情報に基づいて行うようにすることも可能である。この場合には、その情報が入力部５ｃを介して端末装置５に入力された時に、その情報が端末装置５により管理装置１へ送信される。
【００５５】
Ｓ１３では、入力部１ｃを介して作業者の入力を受け付けつけたか否かを判定し、その判定結果がＹｅｓの場合にはＳ１４へ進み、Ｎｏの場合にはＳ１８へ進む。
Ｓ１４では、Ｓ１３で受け付けた入力が新規のかんばん発行依頼に関するものであったか否かを判定し、その判定結果がＹｅｓの場合にはＳ１５へ進む。
【００５６】
Ｓ１５では、Ｓ１３で受け付けた新規のかんばん発行依頼に基づいて、図８に示したようなかんばん情報レコードを生成し、これをＲＦＩＤかんばんＤＢ６のかんばん情報レコード記憶部６ｂに記憶する。なお、このときに生成、記憶されたかんばん情報レコードの「ステータス」は「１」に設定される。
【００５７】
Ｓ１６では、Ｓ１５で生成、記憶されたかんばん情報レコードに基づくかんばん発行依頼の指示コマンドをプリンタ２へ送信する。なお、この指示コマンドには、そのかんばん情報レコードの「ＲＦＩＤ＿ＥＰＣコード」（ＥＰＣ）の情報が含まれる。これにより、この指示コマンドを受信したプリンタ２では、その指示コマンドに基づいて、ＲＦＩＤかんばんの発行が行われる。このときに発行されるＲＦＩＤかんばんは、Ｓ１５でかんばん情報レコードが生成、記憶された日付けと同一の「日付け」を含み、且つ、かんばん情報レコードと同一の「仕様図番」及び「品名」を含む、かんばん発行予定レコードの「発行予定枚数」に基づき発行されるものでもある。
【００５８】
Ｓ４１では、Ｓ１５で生成、記憶されたかんばん情報レコードに基づいて、対応するかんばん発行レコード（Ｓ１５でかんばん情報レコードが生成、記憶された日付と同一の「日付」を含み、且つ、かんばん情報レコードと同一の「仕様図番」及び「品名」を含む、かんばん発行レコード）を、ＲＦＩＤかんばんＤＢ６のかんばん発行レコード記憶部６ａから検索し、その「発行済み枚数」の値に１を積算する（インクリメントする）。
【００５９】
一方、Ｓ１４の判定結果がＮｏの場合には、Ｓ１７へ進む。
Ｓ１７では、Ｓ１３で受け付けた入力に応じた処理を行う。例えば、受け付けた入力が、かんばん発行レコードの登録指示に関するものであった場合には、Ｓ１１と同様に、かんばん発行レコードの登録を行う。また、受け付けた入力が、かんばん発行予定レコードの登録指示に関するものであった場合には、Ｓ１２と同様に、かんばん発行予定レコードの登録を行う。また、受け付けた入力が、ＲＦＩＤかんばんＤＢ６や生産管理ＤＢ７に記憶されている情報の表示指示に関するものであった場合には、ＲＦＩＤかんばんＤＢ６や生産管理ＤＢ７に記憶されている情報をディスプレイ（出力部１ｄ）に表示する。また、受け付けた入力が、当該動作の終了指示に関するものであった場合には、当該動作を終了する。
【００６０】
続いて、Ｓ１８では、通信ネットワーク８を介して情報を受信したか否かを判定し、その判定結果がＹｅｓの場合には図１２のＳ１９へ進み、Ｎｏの場合にはＳ１３へ戻る。
Ｓ１９では、Ｓ１８で受信した情報が、プリンタ２からのかんばん発行情報であったか否かを判定し、その判定結果がＹｅｓの場合にはＳ２０へ進む。
【００６１】
Ｓ２０では、Ｓ１８で受信したかんばん発行情報に含まれるＥＰＣの情報に基づいて、対応するかんばん情報レコード（ＥＰＣが同一の「ＲＦＩＤ＿ＥＰＣコード」を含むかんばん情報レコード）を、ＲＦＩＤかんばんＤＢ６のかんばん情報レコード記憶部６ｂから検索し、その「ステータス」を「２」に設定する。但し、「ステータス」を「２」に設定する前に、その「ステータス」が「１」でなかった場合には、エラー処理を行う。このエラー処理では、対応するＲＦＩＤかんばんが矛盾した流通状態にあることを、ディスプレイ（出力部１ｄ）を介して作業者に通知する。このようにする理由は、ＲＦＩＤかんばんの運用上、「２」に設定する前の「ステータス」は「１」でなければならず、そうでない場合には、対応するＲＦＩＤかんばんが矛盾した流通状態にあることを示すからである。Ｓ２０の後は、Ｓ１３へ戻る。
【００６２】
一方、Ｓ１９の判定結果がＮｏの場合には、Ｓ２２へ進む。
Ｓ２２では、Ｓ１８で受信した情報が入荷ゲート３からの入荷情報であったか否かを判定し、その判定結果がＹｅｓの場合にはＳ２３へ進む。
【００６３】
Ｓ２３では、Ｓ１８で受信した入荷情報に含まれるＥＰＣの情報に基づいて、対応するかんばん情報レコード（ＥＰＣが同一の「ＲＦＩＤ＿ＥＰＣコード」を含むかんばん情報レコード）を、ＲＦＩＤかんばんＤＢ６のかんばん情報レコード記憶部６ｂから検索し、その「ステータス」を「３」に設定する。但し、「ステータス」を「３」に設定する前に、その「ステータス」が「２」でなかった場合には、Ｓ２０で説明したものと同様に、エラー処理を行う。Ｓ２３の後は、Ｓ１３へ戻る。
【００６４】
一方、Ｓ２２の判定結果がＮｏの場合には、Ｓ２４へ進む。
Ｓ２４では、Ｓ１８で受信した情報が回収箱４からの投入情報であったか否かを判定し、その判定結果がＹｅｓの場合にはＳ２５へ進む。
【００６５】
Ｓ２５では、Ｓ１８で受信した投入情報に含まれるＥＰＣの情報に基づいて、対応するかんばん情報レコード（ＥＰＣが同一の「ＲＦＩＤ＿ＥＰＣコード」を含むかんばん情報レコード）を、ＲＦＩＤかんばんＤＢ６のかんばん情報レコード記憶部６ｂから検索し、その「ステータス」を「４」に設定する。但し、「ステータス」を「４」に設定する前に、その「ステータス」が「３」でなかった場合には、Ｓ２０で説明したものと同様に、エラー処理を行う。
【００６６】
Ｓ２６では、Ｓ１８で受信した投入情報に含まれる、ＥＰＣが読み出された日付の情報と、Ｓ２５で「ステータス」が「４」に設定されたかんばん情報レコードとに基づいて、対応するかんばん発行レコード（日付が同一の「日付」を含み、且つ、かんばん情報レコードと同一の「仕様図番」及び「品名」を含む、かんばん発行レコード）を、ＲＦＩＤかんばんＤＢ６のかんばん発行レコード記憶部６ａから検索すると共に、対応するかんばん発行予定レコード（日付が同一の「日付」を含み、且つ、かんばん情報レコードと同一の「仕様図番」及び「品名」を含む、かんばん発行予定レコード）を、生産管理ＤＢ７のかんばん発行予定レコード記憶部７ａから検索する。そして、検索されたかんばん発行レコードの「発行済み枚数」と、検索されたかんばん発行予定レコードの「発行予定枚数」とを比較する。
【００６７】
Ｓ２７では、Ｓ２６の比較の結果、「発行済み枚数」＜「発行予定枚数」であるか否かを判定し、その判定結果がＹｅｓの場合にはＳ２８へ進む。
Ｓ２８では、対応する部品についての次のＲＦＩＤかんばんの発行依頼を行うために、Ｓ２６の比較時に使用されたかんばん発行レコード等に基づいて、図８に示したようなかんばん情報レコードを生成し、これをＲＦＩＤかんばんＤＢ６のかんばん情報レコード記憶部６ｂに記憶する。なお、このときに生成、記憶されたかんばん情報レコードの「ステータス」は「１」に設定される。
【００６８】
Ｓ２９では、Ｓ２８で生成、記憶されたかんばん情報レコードに基づく次のかんばん発行依頼の指示コマンドをプリンタ２へ送信する。なお、この指示コマンドには、かんばん情報レコードに含まれる「ＲＦＩＤ＿ＥＰＣコード」（ＥＰＣ）の情報が含まれる。これにより、この指示コマンドを受信したプリンタ２では、その指示コマンドに基づいて、次のＲＦＩＤかんばんの発行が行われる。このときに発行されるＲＦＩＤかんばんは、Ｓ２６の比較時に使用されたかんばん発行予定レコードの「発行予定枚数」に基づき発行されるものでもある。
【００６９】
Ｓ４２では、Ｓ２８で生成、記憶されたかんばん情報レコードに基づいて、対応するかんばん発行レコード（Ｓ２８でかんばん情報レコードが生成、記憶された日付と同一の「日付」を含み、且つ、かんばん情報レコードと同一の「仕様図番」及び「品名」を含む、かんばん発行レコード）を、ＲＦＩＤかんばんＤＢ６のかんばん発行レコード記憶部６ａから検索し、その「発行済み枚数」の値に１を積算する（インクリメントする）。Ｓ４２の後は、Ｓ１３へ戻る。
【００７０】
一方、Ｓ２７の判定結果がＮｏの場合には、Ｓ３０へ進む。
Ｓ３０では、Ｓ２５で「ステータス」が「４」に設定されたかんばん情報レコードの「ステータス」を「５」に設定する。これにより、このかんばん情報レコードに対応するものとしてのＲＦＩＤかんばんの流通が打ち切られる。Ｓ３０の後は、Ｓ１３へ戻る。
【００７１】
一方、Ｓ２４の判定結果がＮｏの場合には、Ｓ３１へ進む。
Ｓ３１では、Ｓ１８で受信した情報に応じた処理を行う。例えば、受信した情報が、端末装置５からの情報であって新規のかんばん発行依頼に関する情報であった場合には、その情報に基づいて、Ｓ１５及びＳ１６と同様の処理を行う。なお、この情報は、端末装置５の入力部５ｃを介して新規のかんばん発行依頼に関する入力が行われた時に、その入力に基づく情報が端末装置５から管理装置１へ送信されたものである。このように、本実施例に係る生産管理システムでは、管理装置１からだけでなく、端末装置５からも、新規のかんばん発行依頼を行うことができる。Ｓ３１の後は、Ｓ１３へ戻る。
【００７２】
このように、図１１及び図１２に示した動作によれば、ＲＦＩＤかんばんが回収箱４に投入されたときに、対応する部品についての「発行済み枚数」と「発行予定枚数」が比較され、その比較結果が「発行済み枚数」＜「発行予定枚数」になった場合に限り、その部品についての次のＲＦＩＤかんばんの発行が行われるようなり、それ以外の場合には、その部品についての次のＲＦＩＤかんばんの発行が行われないようになる。
【００７３】
また、図１１及び図１２に示した動作によれば、ＲＦＩＤかんばんＤＢ６のかんばん情報レコード記憶部６ｂに記憶されるかんばん情報レコードの「ステータス」に、ＲＦＩＤかんばんの流通状態に応じた値が設定されるようになる。
【００７４】
図１３は、図１１及び図１２に示した動作中における、かんばん情報レコードの「ステータス」とＲＦＩＤかんばんの流通状態との関係を示す図である。
同図に示したように、工場において、作業者による新規のかんばん発行依頼が行われると、ＲＦＩＤかんばんＤＢ６のかんばん情報レコード記憶部６ｂにかんばん情報レコードが生成、記憶されると共に、そのかんばん情報レコードの「ステータス」が「１」に設定される（Ｓ４０１）。
【００７５】
その後、対応するＲＦＩＤかんばんがプリンタ２により発行されると、かんばん情報レコードの「ステータス」が「１」から「２」へ設定される（Ｓ４０２）。
その後、発行されたＲＦＩＤかんばんがサプライヤーへ運搬され、サプライヤーにて、そのＲＦＩＤかんばんの情報に基づいて部品が製造される。そして、そのＲＦＩＤかんばんが、製造された部品に対して貼付され、工場へ運搬される。
【００７６】
その後、工場に運搬された部品に対して貼付されているＲＦＩＤかんばんが入荷ゲート３を通過すると、かんばん情報レコードの「ステータス」が「２」から「３」へ設定される（Ｓ４０３）。
【００７７】
その後、ＲＦＩＤかんばんが回収箱４に投入されると、かんばん情報レコードの「ステータス」が「３」から「４」へ設定される（Ｓ４０４）。
そして、次のＲＦＩＤかんばんを発行するかしないかの判定（上記の「発行済み枚数」＜「発行予定枚数」の判定に対応）が行われる（Ｓ４０５）。ここで、その判定結果がＹｅｓになると、ＲＦＩＤかんばんＤＢ６のかんばん情報レコード記憶部６ｂにかんばん情報レコードが生成、記憶されると共に、そのかんばん情報レコードの「ステータス」が「１」に設定されて、次のＲＦＩＤかんばんの発行依頼が行われ（Ｓ４０６）、次のＲＦＩＤかんばんの発行（Ｓ４０２）に移る。一方、Ｓ４０５の判定結果がＮｏになると、かんばん情報レコードの「ステータス」が「４」から「５」へ設定され、次のＲＦＩＤかんばんの発行が打ち切られる（Ｓ４０７）。
【００７８】
このように、かんばん情報レコードの「ステータス」には、ＲＦＩＤかんばんの流通状態に応じた値が設定される。
以上、本実施例に係る生産管理システムによれば、ＲＦＩＤかんばんが回収箱４に投入されたときに、次のＲＦＩＤかんばんの発行依頼を行う、或いは、それを行わない、ということが管理装置１により自動的に行われるようになる。従って、例えば、生産量の変更等による所要の変動によって、流通するＲＦＩＤかんばんの数が減少するような場合であっても、従来のような、作業者が部品納入計画表を確認しながら不要かんばんとするＲＦＩＤかんばんを回収箱４に投入しないようにする、といった作業が不要になるため、作業者の負担を軽減させることができると共に、ＲＦＩＤかんばんの誤発行が生じる虞もない。
【００７９】
なお、本実施例に係る生産管理システムにおいては、次のような変形も可能である。
例えば、一日一回、一定の時刻になると、「仕様図番」、「日付」、及び「品名」が同一のかんばん発行レコードとかんばん発行予定レコードにおいて、かんばん発行レコードの「発行済み枚数」とかんばん発行予定レコードの「発行予定枚数」との差を求め（但し、「発行済み枚数」＜「発行予定枚数」の場合に限る）、その差の分だけ、ＲＦＩＤかんばんを発行依頼するように構成することも可能である。
【００８０】
また、例えば、生産ラインストップや不良による部品集約等といったイレギュラーに対して、発注日や発注数等を手動により操作可能にする等、手動対応が可能になるように構成することも可能である。
【００８１】
以上、本発明の実施例を説明したが、本発明は、上述した実施例に限定されることなく、本発明の要旨を逸脱しない範囲内で種々の改良・変更が可能である。
【符号の説明】
【００８２】
１    管理装置
１ａ  ＣＰＵ
１ｂ  メモリ
１ｃ  入力部
１ｄ  出力部
１ｅ  外部記憶部
１ｆ  媒体駆動部
１ｇ  通信部
１ｈ  バス
１ｉ  可搬記録媒体
２    リライタブルシートプリンタ
２ａ  通信部
２ｂ  ＲＦＩＤタグリーダ・ライタ
２ｃ  アンテナ
２ｄ  リライタブルシート用印刷ユニット
２ｅ  制御部
３    入荷ゲート
３ａ  通信部
３ｂ  ＲＦＩＤタグリーダ・ライタ
３ｃ  アンテナ
３ｄ  制御部
４    回収箱
４ａ  通信部
４ｂ  ＲＦＩＤタグリーダ・ライタ
４ｃ  アンテナ
４ｄ  制御部
５    端末装置
５ａ  ＣＰＵ
５ｂ  メモリ
５ｃ  入力部
５ｄ  出力部
５ｅ  外部記憶部
５ｆ  媒体駆動部
５ｇ  通信部
５ｈ  バス
５ｉ  可搬記録媒体
６    ＲＦＩＤかんばんＤＢ
６ａ  かんばん発行レコード記憶部
６ｂ  かんばん情報レコード記憶部
７    生産管理ＤＢ
７ａ  かんばん発行予定レコード記憶部
７ｂ  製品レコード記憶部
８    通信ネットワーク
【図１】
2011121651.tif 000003
【図２】
2011121651.tif 000004
【図３】
2011121651.tif 000005
【図４】
2011121651.tif 000006
【図５】
2011121651.tif 000007
【図６】
2011121651.tif 000008
【図７】
2011121651.tif 000009
【図８】
2011121651.tif 000010
【図９】
2011121651.tif 000011
【図１０】
2011121651.tif 000012
【図１１】
2011121651.tif 000013
【図１２】
2011121651.tif 000014
【図１３】
2011121651.tif 000015
【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
ＲＦＩＤタグ付きかんばんを用いたかんばん方式により生産管理を行う生産管理システムであって、
ＲＦＩＤタグ付きかんばんを発行する発行手段に対してＲＦＩＤタグ付きかんばんの発行を指示する指示手段と、
部品毎のＲＦＩＤタグ付きかんばんの発行予定数が記憶される発行予定数記憶手段と、
前記部品毎のＲＦＩＤタグ付きかんばんの発行済み数が記憶される発行済数記憶手段と、
前記指示手段によりＲＦＩＤタグ付きかんばんの発行が指示されたときに、前記発行済数記憶手段に記憶されている、対応部品についてのＲＦＩＤタグ付きかんばんの発行済み数をインクリメントする積算手段と、
前記指示手段による指示に応じて前記発行手段により発行されたＲＦＩＤタグ付きかんばんが回収されたときに、前記発行済数記憶手段に記憶されている、対応部品についてのＲＦＩＤタグ付きかんばんの発行済み数と、前記発行予定数記憶手段に記憶されている、前記対応部品についてのＲＦＩＤタグ付きかんばんの発行予定数とを比較する比較手段と、
を備え、
前記比較手段による比較の結果、前記発行済み数が前記発行予定数以上となる場合、前記指示手段は、前記発行手段に対して、前記対応部品についての次のＲＦＩＤタグ付きかんばんの発行を指示しない、
ことを特徴とする生産管理システム。
【請求項２】
前記比較手段による比較の結果、前記発行済み数が前記発行予定数未満となる場合、前記指示手段は、前記発行手段に対して、前記対応部品についての次のＲＦＩＤタグ付きかんばんの発行を指示する、
ことを特徴とする請求項１記載の生産管理システム。
【請求項３】
ＲＦＩＤタグ付きかんばんを用いたかんばん方式により生産管理を行う生産管理システムのかんばん発行方法であって、
ＲＦＩＤタグ付きかんばんを発行する発行手段に対してＲＦＩＤタグ付きかんばんの発行を指示し、
部品毎にＲＦＩＤタグ付きかんばんの発行済み数が記憶される発行済数記憶手段に記憶されている、対応部品についてのＲＦＩＤタグ付きかんばんの発行済み数をインクリメントし、
前記指示に応じて前記発行手段により発行されたＲＦＩＤタグ付きかんばんが回収されたときに、前記発行済数記憶手段に記憶されている、対応部品についてのＲＦＩＤタグ付きかんばんの発行済み数と、前記部品毎にＲＦＩＤタグ付きかんばんの発行予定数が記憶される発行予定数記憶手段に記憶されている、前記対応部品についてのＲＦＩＤタグ付きかんばんの発行予定数とを比較し、
前記比較の結果、前記発行済み数が前記発行予定数以上となる場合、前記発行手段に対して、前記対応部品についての次のＲＦＩＤタグ付きかんばんの発行を指示しない、
ことを特徴とするかんばん発行方法。
【請求項４】
前記比較の結果、前記発行済み数が前記発行予定数未満となる場合、前記発行手段に対して、前記対応部品についての次のＲＦＩＤタグ付きかんばんの発行を指示する、
ことを特徴とする請求項３記載のかんばん発行方法。
【請求項５】
ＲＦＩＤタグ付きかんばんを用いたかんばん方式により生産管理を行う生産管理システムのコンピュータに以下の方法を実行させるためのプログラムであって、
ＲＦＩＤタグ付きかんばんを発行する発行手段に対してＲＦＩＤタグ付きかんばんの発行を指示し、
部品毎にＲＦＩＤタグ付きかんばんの発行済み数が記憶される発行済数記憶手段に記憶されている、対応部品についてのＲＦＩＤタグ付きかんばんの発行済み数をインクリメントし、
前記指示に応じて前記発行手段により発行されたＲＦＩＤタグ付きかんばんが回収されたときに、前記発行済数記憶手段に記憶されている、対応部品についてのＲＦＩＤタグ付きかんばんの発行済み数と、前記部品毎にＲＦＩＤタグ付きかんばんの発行予定数が記憶される発行予定数記憶手段に記憶されている、前記対応部品についてのＲＦＩＤタグ付きかんばんの発行予定数とを比較し、
前記比較の結果、前記発行済み数が前記発行予定数以上となる場合、前記発行手段に対して、前記対応部品についての次のＲＦＩＤタグ付きかんばんの発行を指示しない、
ことを特徴とするプログラム。
【請求項６】
前記比較の結果、前記発行済み数が前記発行予定数未満となる場合、前記発行手段に対して、前記対応部品についての次のＲＦＩＤタグ付きかんばんの発行を指示する、
ことを特徴とする請求項５記載のプログラム。
【請求項７】
ＲＦＩＤタグ付きかんばんを用いたかんばん方式により生産管理を行う生産管理システムのコンピュータに以下の方法を実行させるためのプログラムを記録したコンピュータ読み取り可能な記録媒体であって、
ＲＦＩＤタグ付きかんばんを発行する発行手段に対してＲＦＩＤタグ付きかんばんの発行を指示し、
部品毎にＲＦＩＤタグ付きかんばんの発行済み数が記憶される発行済数記憶手段に記憶されている、対応部品についてのＲＦＩＤタグ付きかんばんの発行済み数をインクリメントし、
前記指示に応じて前記発行手段により発行されたＲＦＩＤタグ付きかんばんが回収されたときに、前記発行済数記憶手段に記憶されている、対応部品についてのＲＦＩＤタグ付きかんばんの発行済み数と、前記部品毎にＲＦＩＤタグ付きかんばんの発行予定数が記憶される発行予定数記憶手段に記憶されている、前記対応部品についてのＲＦＩＤタグ付きかんばんの発行予定数とを比較し、
前記比較の結果、前記発行済み数が前記発行予定数以上となる場合、前記発行手段に対して、前記対応部品についての次のＲＦＩＤタグ付きかんばんの発行を指示しない、
ことを特徴とする記録媒体。
【請求項８】
前記比較の結果、前記発行済み数が前記発行予定数未満となる場合、前記発行手段に対して、前記対応部品についての次のＲＦＩＤタグ付きかんばんの発行を指示する、
ことを特徴とする請求項７記載の記録媒体。
【手続補正２】
【補正対象書類名】明細書
【補正対象項目名】００１２
【補正方法】変更
【補正の内容】
【００１２】
本発明の第１の態様に係る装置は、ＲＦＩＤタグ付きかんばんを用いたかんばん方式により生産管理を行う生産管理システムであって、ＲＦＩＤタグ付きかんばんを発行する発行手段に対してＲＦＩＤタグ付きかんばんの発行を指示する指示手段と、部品毎のＲＦＩＤタグ付きかんばんの発行予定数が記憶される発行予定数記憶手段と、前記部品毎のＲＦＩＤタグ付きかんばんの発行済み数が記憶される発行済数記憶手段と、前記指示手段によりＲＦＩＤタグ付きかんばんの発行が指示されたときに、前記発行済数記憶手段に記憶されている、対応部品についてのＲＦＩＤタグ付きかんばんの発行済み数をインクリメントする積算手段と、前記指示手段による指示に応じて前記発行手段により発行されたＲＦＩＤタグ付きかんばんが回収されたときに、前記発行済数記憶手段に記憶されている、対応部品についてのＲＦＩＤタグ付きかんばんの発行済み数と、前記発行予定数記憶手段に記憶されている、前記対応部品についてのＲＦＩＤタグ付きかんばんの発行予定数とを比較する比較手段と、を備え、前記比較手段による比較の結果、前記発行済み数が前記発行予定数以上となる場合、前記指示手段は、前記発行手段に対して、前記対応部品についての次のＲＦＩＤタグ付きかんばんの発行を指示しない、ことを特徴とする。
【手続補正３】
【補正対象書類名】明細書
【補正対象項目名】００１３
【補正方法】変更
【補正の内容】
【００１３】
本発明の第２の態様に係る装置は、上記第１の態様において、前記比較手段による比較の結果、前記発行済み数が前記発行予定数未満となる場合、前記指示手段は、前記発行手段に対して、前記対応部品についての次のＲＦＩＤタグ付きかんばんの発行を指示する、ことを特徴とする。
【国際調査報告】
2011121651.tif 000016
2011121651.tif 000017
2011121651.tif 000018
2011121651.tif 000019